(57)【特許請求の範囲】
【請求項１】
一方の端部に射出成形時の湯口跡を有した透明な硬質の樹脂からなる前軸部材の内部に、該前軸部材の内面と隙間を設けて筒部材を配し、筒部材の前端部に先端より筆記体を突出する先部材を配し、筒部材の後端部に後軸部材を配し、前記前軸部材の湯口跡を有する端部と前記先部材あるいは前記後軸部材との間に、環状の弾性部材を配設し、先部材及び後軸部材を筒部材に螺子嵌合又は圧入嵌合して、前軸部材を先部材と後軸部材とで挟持すると共に、前軸部材の湯口跡を先部材あるいは後軸部材で外側から視認不能に被覆してなる筆記具の軸筒。
【請求項２】
一方の端部に凹部を形成し該凹部に射出成形時の湯口跡を有した透明な硬質の樹脂からなる前軸部材の内部に、該前軸部材の内面と隙間を設けて筒部材を配し、筒部材の前端部に先端より筆記体を突出する先部材を配し、筒部材の後端部に後軸部材を配し、先部材及び後軸部材を筒部材に螺子嵌合又は圧入嵌合して、前軸部材を先部材と後軸部材とで挟持すると共に、前軸部材の湯口跡を先部材あるいは後軸部材で外側から視認不能に被覆してなる筆記具の軸筒。
【請求項３】
一方の端部に凹部を形成し該凹部に射出成形時の湯口跡を有した透明な硬質の樹脂からなる前軸部材の内部に、該前軸部材の内面と隙間を設けて筒部材を配し、前記前軸部材の湯口跡を有する端部と前記先部材あるいは前記後軸部材との間に、環状の弾性部材を配設し、筒部材の前端部に先端より筆記体を突出する先部材を配し、筒部材の後端部に後軸部材を配し、先部材及び後軸部材を筒部材に螺子嵌合又は圧入嵌合して、前軸部材を先部材と後軸部材とで挟持すると共に、前軸部材の湯口跡を先部材あるいは後軸部材で外側から視認不能に被覆してなる筆記具の軸筒。
【請求項４】
前記前軸部材を、一端部に軸径が小径の小径部を設け且つ該小径部に湯口跡を設けた形状とし、小径部を先部材あるいは後軸部材で被覆してなる請求項１ないし３のいずれか１項に記載の筆記具の軸筒。
【発明の詳細な説明】
【０００１】
【発明の属する技術分野】
本発明は、筆記具の軸筒に関する。
【０００２】
【従来の技術】
従来より、射出成形により形成した樹脂からなる複数の筒状の軸部材を連設して軸筒を構成する筆記具は良く知られており、その軸部材を透明な樹脂で形成することにより、軸筒の内部構造を外部より鑑賞できる構造としたものが近年好まれている。尚、このような透明の軸部材を用いた筆記具では、透明な軸部材の内部に、筒体を内周面と若干の隙間を設けて配設した構造がある。このような構造では、筒体の表面にシール等の薄手のシート部材を貼付けて、外部より透明な軸部材を透してシール等の絵柄が鑑賞可能な構造とした趣向性のあるものも知られている。尚、外部よりシール等の絵柄を鑑賞できる構造とする場合には、軸筒に配設したクリップが鑑賞を妨げることのない位置である把持部分に、前軸部材として使用することが多い。
【０００３】
ところで、前述した透明な軸部材の内部に筒体を配設する構造のものでは、当然、その用途的に軸部材を形成する樹脂材は透明度の高いものが好まれ、また、前軸部材と筒体との間に隙間を形成することから、必然的に材質は硬質な例えば硬質アクリル樹脂のように透明度が高いものが選択される。
【０００４】
【発明が解決しようとする課題】
ところで、硬質アクリル樹脂のように透明度の高いものでは、射出成形時の湯口跡が例え小さいものであっても、その存在が目に付き易く、湯口跡が外部に露出した場合には、湯口跡が、透明という軸部材の持つ美観性を損ねたり、内在するシール等の絵柄の鑑賞の妨げになるという問題があった。また、特に、透明な硬質の軸部材を、筆記具の把持部分に該当する前軸部材として使用する場合には、軸部材の材質が硬いが故に湯口跡も硬く、手に湯口跡が接触した時に、軸筒を把持した手の感触が悪くなるという問題があった。
【０００５】
本発明はこうした事実に鑑み、透明な硬質の樹脂を筆記具の把持部分に該当する前軸部材として使用する場合においても、射出成形時の湯口跡が、透明という軸部材の持つ美観性を損ねたり、内在するシール等の絵柄の鑑賞を妨げたり、また、筆記時において軸筒を把持した手の感触を悪くしたりすることのない筆記具の軸筒を提供することを目的とする。
【０００６】
【課題を解決するための手段】
次に、前記課題の解決をするために案出した本発明を説明する。
「１．一方の端部に射出成形時の湯口跡を有した透明な硬質の樹脂からなる前軸部材の内部に、該前軸部材の内面と隙間を設けて筒部材を配し、筒部材の前端部に先端より筆記体を突出する先部材を配し、筒部材の後端部に後軸部材を配し、前記前軸部材の湯口跡を有する端部と前記先部材あるいは前記後軸部材との間に、環状の弾性部材を配設し、先部材及び後軸部材を筒部材に螺子嵌合又は圧入嵌合して、前軸部材を先部材と後軸部材とで挟持すると共に、前軸部材の湯口跡を先部材あるいは後軸部材で外側から視認不能に被覆してなる筆記具の軸筒。
２．一方の端部に凹部を形成し該凹部に射出成形時の湯口跡を有した透明な硬質の樹脂からなる前軸部材の内部に、該前軸部材の内面と隙間を設けて筒部材を配し、筒部材の前端部に先端より筆記体を突出する先部材を配し、筒部材の後端部に後軸部材を配し、先部材及び後軸部材を筒部材に螺子嵌合又は圧入嵌合して、前軸部材を先部材と後軸部材とで挟持すると共に、前軸部材の湯口跡を先部材あるいは後軸部材で外側から視認不能に被覆してなる筆記具の軸筒。
３． 一方の端部に凹部を形成し該凹部に射出成形時の湯口跡を有した透明な硬質の樹脂からなる前軸部材の内部に、該前軸部材の内面と隙間を設けて筒部材を配し、前記前軸部材の湯口跡を有する端部と前記先部材あるいは前記後軸部材との間に、環状の弾性部材を配設し、筒部材の前端部に先端より筆記体を突出する先部材を配し、筒部材の後端部に後軸部材を配し、先部材及び後軸部材を筒部材に螺子嵌合又は圧入嵌合して、前軸部材を先部材と後軸部材とで挟持すると共に、前軸部材の湯口跡を先部材あるいは後軸部材で外側から視認不能に被覆してなる筆記具の軸筒。
４．前記前軸部材を、一端部に軸径が小径の小径部を設け且つ該小径部に湯口跡を設けた形状とし、小径部を先部材あるいは後軸部材で被覆してなる１項ないし３項のいずれか１項に記載の筆記具の軸筒。」
【０００７】
請求項１に係る発明とするのは、前軸部材の端部に設けた湯口跡を、先部材あるいは後軸部材で被覆して外部に露出させないことにより、湯口跡が、透明という軸部材の持つ美観性を損ねたり、内在するシール等の絵柄の鑑賞を妨げたり、また、筆記時において軸筒を把持した手の感触を悪くしたりすることがないと共に、前軸部材の湯口跡を有する先部材あるいは前記後軸部材との間に環状の弾性部材を配設することで、軸筒への把持力により前軸部材に回転方向の力が加わっても、前軸部材が当接する弾性部材の摩擦力で、回転を防ぐことができるからである。また、弾性部材自体は湯口跡と共に被覆されるので、外部に露出して筆記具の美観を損ねることもない。
【０００８】
請求項２に係る発明とするのは、前軸部材の端部に設けた湯口跡を、先部材あるいは後軸部材で被覆して外部に露出させないことにより、湯口跡が、透明という軸部材の持つ美観性を損ねたり、内在するシール等の絵柄の鑑賞を妨げたり、また、筆記時において軸筒を把持した手の感触を悪くしたりすることがないと共に、湯口跡を前軸部材の端部に形成した凹部内に設けることにより、湯口跡が前軸部材に連設する先部材あるいは後軸部材と接触することがないので、連設の妨げになることを防げるためである。
【０００９】
請求項３に係る発明とするのは、軸筒への把持力により前軸部材に回転方向の力が加わっても、前軸部材が当接する弾性部材の摩擦力で回転を防ぐことができると共に、環状の弾性部材を配設した場合においても、湯口跡が弾性部材に当接しないので、弾性部材を湯口跡で切断してしまうことがないためである。
【００１０】
請求項４に係る発明とするのは、前軸部材の湯口跡がある部分を小径とすることにより、前軸部材の外面と該前軸部材に連設した先部材あるいは後軸部材の外面との段差をなくすことができるからである。
【００１１】
尚、前軸部材を硬質アクリル樹脂からなるものとすれば、硬質アクリル樹脂特有の透明性により、前軸部材に内在させたシール等の絵柄が特に良く見え、好ましい。
【００１２】
【発明の実施の形態】
本発明の実施の形態を図を用いて説明する。尚、本実施の形態では、ノック式ボールペンの軸筒の場合について説明を行うが、本発明はボールペンに限定されることなく、万年筆やシャープペンシルあるいはサインペン等の筆記具の軸筒に使用することができる。また、本実施の形態におけるノック式ボールペンにおいては、筆記具の筆記体がある側を前方と表現し、その反対側を後方と表現する。同じ部材、同じ箇所を示す場合は同じ符号を付してある。
【００１３】
本実施の形態のノック式ボールペンを図１〜図３に示す。図１は、本実施の形態のノック式ボールペンの要部を断面とした全体図である。図２は、図１の要部拡大断面図である。図３は、要部分解図である。ノック式ボールペン１は、透明な硬質アクリル樹脂からなる筒状の前軸部材２の内部に、前軸部材２の内面２ａと隙間３を設けて筒部材４を配し、筒部材４の前端部４ａに先端よりレフィル５の筆記体５ａを突出する先部材６を配し、筒部材４の後端部４ｂに筒状の後軸部材７を配して軸筒８を構成してある。尚、本実施の形態においては、先部材６を筒部材４に、先部材６の外面に形成した雄螺子部６ａを筒部材４の内面に形成した雌螺子部４ｃに螺子嵌合して装着してある。また、後軸部材７を筒部材４に、筒部材４の後端部４ｂを後軸部材７の前端開口部７ａに圧入嵌合して装着してある。また、本発明の要旨とは関係ないため詳述はしないが、後軸部材７の後端部７ｂには、挟持片９ａを有したクリップ体９を配設してあり、その後端からは、後軸部材７の内部に配設したノック機構（図示せず）を操作するノック体１０を突出して配設してある。
【００１４】
ノック式ボールペン１は、前軸部材２の後端部２ｂに、前軸部材２の外形より一段軸径が小径の小径部２ｃを設けてあり、その小径部２ｃに凹部２ｄを形成し、凹部２ｄに射出成形時の湯口跡２ｅを設けてある。また、図２に示すように、前軸部材２に形成された湯口跡２ｅは、後軸部材７の前端部７ｃに被覆され、外側から視認不能な状態で組み立ててある。また、本実施の形態は図に示す通り、前軸部材２から後軸部材７に至る外面は、略面一状に連続している。また、前軸部材２の小径部２ｃと、後軸部材７の前端開口部７ａに形成した段部７ｄとの間には、ゴム樹脂からなるＯリング１１を配設してある。したがって、前軸部材２は、先部材６と後軸部材７との間にＯリング１１を介して挟持され、Ｏリングで前軸部材２の回転を防止する状態で保持してある。尚、本実施の形態では、湯口跡２ｅが凹部２ｄ内に設けられているので、Ｏリング１１に湯口跡２ｅが当接しない。
【００１５】
図４は、他の実施の形態の要部拡大断面図である。図に示すように、本実施の形態では、前軸部材２０の後端部２０ｂに小径部を形成していないので、後軸部材７０が前軸部材２０に対して一段盛り上がった状態で、湯口跡２０ｅを外側から視認不能に被覆している。尚、本実施の形態では、前軸部材２０と、後軸部材７０の前端開口部７０ａに形成した段部７０ｃとの間に、ゴム樹脂からなるＯリング１１を配設してある。他の点は、前述の実施の形態と同様としてあるため説明を省略する。
【００１６】
【発明の効果】
本発明の筆記具の軸筒は以上のような構造なので、射出成形時の湯口跡が、透明という軸部材の持つ美観性を損なったり、内在するシール等の絵柄の鑑賞を妨げたり、また、筆記時において軸筒を把持した手の感触を悪くしたりすることのないものとなった。
【図面の簡単な説明】
【図１】  本実施の形態のノック式ボールペンの要部を断面とした全体図である。
【図２】  図２は、図１の要部拡大断面図である。
【図３】  図３は、図２の分解図である。
【図４】  他の実施の形態の要部拡大断面図である。
【符号の説明】
１…ノック式ボールペン、
２，２０…前軸部材、２ａ…内面、２ｂ，２０ｂ…後端部、２ｃ…小径部、
２ｄ…凹部、２ｅ，２０ｅ…湯口跡、３…隙間、
４…筒部材、４ａ…前端部、４ｂ…後端部、４ｃ…雌螺子部、
５…レフィル、５ａ…筆記体、６…先部材、６ａ…雄螺子部、
７，７０…後軸部材、７ａ，７０ａ…前端開口部、７ｂ…後端部、
７ｃ，７０ｃ…前端部、７ｄ，７０ｄ…段部、
８…軸筒、９…クリップ体、９ａ…挟持片、１０…ノック体、
１１…Ｏリング。
【図１】
0003942164.tif 000002
【図２】
0003942164.tif 000003
【図３】
0003942164.tif 000004
【図４】
0003942164.tif 000005